(57)【要約】【課題】容易にシート体を取付けることができ、低コストな掃除具を提供することを目的とする。【解決手段】掃除具は、上カバー２６と下カバー２７とを嵌合して形成される本体と、脱着自在のシート体２４とから形成される。本体には第１開口３１と第２開口３３とが隣接する２つの外壁に形成され、その中間に位置するコーナー部に中間部分２９が形成されている。又、シート体は平面視十字形状で構成され、使用時には両端部が第１開口３１と第２開口３３とに差し込むだけで取付できる。更に、開口の幅よりもシート体２４の中央部の幅が長いので、使用時にシート体２４が更に開口内に移動して外れるようなことはない。又、部品点数が２点であり、低コストの掃除具を提供することができる。【選択図】      図７
2008183169.tif 000002
【特許請求の範囲】
【請求項１】
掃除具であって、
少なくとも第１開口と第２開口とがその外壁に形成されている本体と、
清掃機能を有し、前記外壁のうち、前記第１開口と前記第２開口との間の中間部分を覆うように取付けられ、その両端部を前記第１開口及び前記第２開口の各々に脱着自在に差し込むことによって前記本体に一体的に保持されるシート体とを備えた、掃除具。
【請求項２】
前記第１開口と前記第２開口とは、隣接する二つの外壁に形成され、
前記中間部分は、前記外壁の各々の接続部分によって構成されるコーナー部を含むように形成される、請求項１記載の掃除具。
【請求項３】
前記第１開口及び前記第２開口の少なくとも一方の高さは前記シート体の厚さにほぼ等しく形成される、請求項２記載の掃除具。
【請求項４】
前記第１開口と前記第２開口とは同一外壁に形成され、前記中間部分は前記外壁の一部を含むように形成される、請求項１記載の掃除具。
【請求項５】
前記本体はほぼ直方体形状を有し、
前記第１開口は前記本体の第１の側壁に形成され、
前記第２開口は前記本体の第１の側壁に対向する第２の側壁に形成され、
前記中間部分は前記第１の側壁及び前記第２の側壁に接続する底壁を含むように形成される、請求項１記載の掃除具。
【請求項６】
前記中間部分の摩擦係数は前記本体の他の部分の摩擦係数より大きく形成される、請求項１から請求項５記載の掃除具。
【請求項７】
前記シート体の両面には研磨剤が塗布される、請求項１から請求項６のいずれかに記載の掃除具。
【請求項８】
前記シート体は各々の平面視が矩形状の先端部、中央部及び後端部を順次接続した平面視十字状を有すると共に、前記先端部及び前記後端部の前記中央部に接続する接続部分の幅は同一であり、
前記第１開口には前記先端部が差し込まれ、前記第２開口には前記後端部が差し込まれ、
前記中央部の前記接続部分を含む部分の幅は、前記第１開口の幅及び前記第２開口の幅より大きく形成される、請求項１から請求項７のいずれかに記載の掃除具。
【発明の詳細な説明】
【技術分野】
【０００１】
この発明は掃除具に関し、特に台所の加熱器具等や洗面所等に付着した汚れを手を汚すことなく簡単に落とすことができる清掃具に関するものである。
【背景技術】
【０００２】
図１５は特許文献１に記載されている従来の清掃具の概略構造を示した平面図であり、図１６は図１５に示したＸＶＩ−ＸＶＩラインの断面図である。
【０００３】
これらの図を参照して、ピンセット型の清掃具６１は、先端部の払拭シート６２を挟持するための挟持部６８ａ及び６８ｂを有する１対の挟持アーム６５ａ及び６５ｂと、挟持アーム６５ａ及び６５ｂの基端部と一体に連結され、挟持アーム６５ａ及び６５ｂの先端から前方に延出する弾性部材６６とから構成されている。更に、払拭シート６２は、弾性部材６６の先端部を覆うように装着され、その状態で弾性部材６６と挟持アーム６５ａ及び６５ｂとの間に弾力的に挟持されている。
【０００４】
これによって、清掃中に清掃具６１を一時的に手から放した場合であっても、挟持アーム６５ａ及び６５ｂが開いて払拭シート６２が脱落することはない。又、払拭シート６２は、弾性部材６６の弾力により対象部位に押し付けて摺擦することにより汚れ落としを行うので、高い清掃効率が得られる。
【特許文献１】特開２００１−８７１９６号公報
【発明の開示】
【発明が解決しようとする課題】
【０００５】
上記のような従来の清掃具では、挟持アームと弾性部材の２つの部品を組み合わせながら払拭シートを取付けなければならず、非常に煩わしい。更に、部品点数が３点であり生産コストがかかる。
【０００６】
この発明は、上記のような課題を解決するためになされたもので、容易に払拭シートを取付けることができ、低コストの掃除具を提供することを目的とする。
【課題を解決するための手段】
【０００７】
上記の目的を達成するために、請求項１記載の発明は、掃除具であって、少なくとも第１開口と第２開口とがその外壁に形成されている本体と、清掃機能を有し、外壁のうち、第１開口と第２開口との間の中間部分を覆うように取付けられ、その両端部を第１開口及び第２開口の各々に脱着自在に差し込むことによって本体に一体的に保持されるシート体とを備えたものである。
【０００８】
このように構成すると、本体とシート体とによってのみ掃除具が構成される。
【０００９】
請求項２記載の発明は、請求項１記載の発明の構成において、第１開口と第２開口とは、隣接する二つの外壁に形成され、中間部分は、外壁の各々の接続部分によって構成されるコーナー部を含むように形成されたものである。
【００１０】
このように構成すると、シート体はコーナー部を覆うように取付けられる。
【００１１】
請求項３記載の発明は、請求項２記載の発明の構成において、第１開口及び第２開口の少なくとも一方の高さは前記シート体の厚さにほぼ等しく形成されたものである。
【００１２】
このように構成すると、シート体の本体への保持状態が安定する。
【００１３】
請求項４記載の発明は、請求項１記載の発明の構成において、第１開口と第２開口とは同一外壁に形成され、中間部分は外壁の一部を含むように形成されたものである。
【００１４】
このように構成すると、外壁面に沿ってシート体は保持される。
【００１５】
請求項５記載の発明は、請求項１記載の発明の構成において、本体はほぼ直方体形状を有し、第１開口は本体の第１の側壁に形成され、第２開口は本体の第１の側壁に対向する第２の側壁に形成され、中間部分は第１の側壁及び第２の側壁に接続する底壁を含むように形成されたものである。
【００１６】
このように構成すると、底壁面に沿ってシート体は保持される。
【００１７】
請求項６記載の発明は、請求項１から請求項５のいずれかに記載の発明の構成において、中間部分の摩擦係数は本体の他の部分の摩擦係数より大きく設定されたものである。
【００１８】
このように構成すると、使用時におけるシート体と中間部分との間の摩擦力が増加する。
【００１９】
請求項７記載の発明は、請求項１から請求項６のいずれかに記載の発明の構成において、シート体の両面には研磨剤が塗布されたものである。
【００２０】
このように構成すると、シート体の本体に接触する部分の摩擦力が増加する。
【００２１】
請求項８記載の発明は、請求項１から請求項７のいずれかに記載の発明の構成において、シート体は各々の平面視が矩形状の先端部、中央部及び後端部を順次接続した平面視十字状を有すると共に、先端部及び前記後端部の前記中央部に接続する接続部分の幅は同一であり、第１開口には先端部が差し込まれ、第２開口には後端部が差し込まれ、中央部の接続部分を含む部分の幅は、第１開口の幅及び前記第２開口の幅より大きく形成されたものである。
【００２２】
このように構成すると、先端部及び後端部が第１開口及び第２開口に完全に差し込まれると、第１開口及び第２開口の縁に中央部が当接する。
【発明の効果】
【００２３】
以上説明したように、請求項1記載の発明は、本体とシート体とによってのみ掃除具が構成されるので、簡易な構成となり、更に、汚れに応じてシート体を取り替えることができるため使い勝手が良い。
【００２４】
請求項２記載の発明は、請求項１記載の発明の効果に加えて、シート体がコーナー部を覆うように取付けられるので、コーナー部を介してシート体に力を加えやすくなる。
【００２５】
請求項３記載の発明は、請求項２記載の発明の効果に加えて、シート体の本体への保持状態が安定するので、使用時にシート体が本体から外れる虞が少なくなる。
【００２６】
請求項４記載の発明は、請求項１記載の発明の効果に加えて、外壁面に沿ってシート体は保持されるので、清掃面に対して同時に接するシート体の面積が拡大する。
【００２７】
請求項５記載の発明は、請求項１記載の発明の効果に加えて、底壁面に沿ってシート体は保持されるので、清掃面に対して同時に接するシート体の面積が拡大する。
【００２８】
請求項６記載の発明は、請求項１から請求項５記載のいずれかに記載の発明の効果に加えて、使用時におけるシート体と中間部分との間の摩擦力が増加するので、シート体の使用時における本体に対するずれが減少する。
【００２９】
請求項７記載の発明は、請求項１から請求項６記載のいずれかに記載の発明の効果に加えて、シート体の本体に接触する部分の摩擦力が増加するので、シート体の使用時における本体に対するずれが減少すると共に、シート体の汚れ除去効果がより発揮される。
【００３０】
請求項８記載の発明は、請求項１から請求項７記載のいずれかに記載の発明の効果に加えて、先端部及び後端部が第１開口及び第２開口に完全に差し込まれると、第１開口及び第２開口の縁に中央部が当接するので、シート体はそれ以上第１開口及び第２開口内に移動しないため、取り付け状態が安定する。
【発明を実施するための最良の形態】
【００３１】
図１はこの発明の第１の実施の形態による掃除具の外観形状を上方側からみた斜視図であり、図２はこの発明の第１の実施の形態による掃除具の外観形状を下方側からみた斜視図である。
【００３２】
これらの図を参照して、掃除具２１は、マウス形状の本体２３と、本体２３の先端部に脱着自在に取付けられた清掃機能を有するシート体２４とから構成されている。
【００３３】
図３は図１に対応した図であって、掃除具からシート体を取外した状態の本体の外観形状を示した斜視図であり、図４は図２に対応した図であって、掃除具からシート体を取外した状態の本体の外観形状を示した斜視図であり、図５は掃除具のシート体の概略構造を示した斜視図である。
【００３４】
これらの図を参照して、本体２３はポリプロピレンの射出成形により形成され、上カバー２６と下カバー２７とを嵌合して一体的に構成されている。本体２３は全体として正面視略矩形形状で形成されており、持ちやすいように隅角部なしで構成されている。第１開口３１（幅Ｗ１、高さＨ１）と第２開口３３（幅Ｗ２、高さＨ２）は隣接する２つの外壁に形成される。つまり、下カバー２７の前壁の上方側に正面視矩形形状の第１開口３１が形成され、下カバー２７の底壁の前方側に正面視矩形形状の第２開口３３が形成されている。更に、第１開口３１と第２開口３３とが形成される外壁の接続部分に当たる曲面状のコーナー部分が中間部分２９となる。又、下カバー２７の内部であって第２開口３３の後方側の縁に、シート体２４を補助的に保持する複数の突起体３５が形成されている。尚、突起体３５は必ずしも必要とするものではないが、後述するようにシート体２４の抜け止め効果を奏するため好ましいものである。
【００３５】
図５を参照して、シート体２４は厚さＴが一定の研磨シートを平面視十字形状に打抜くことで形成されている。研磨シートはナイロン素材で形成され、水酸化アルミニウムや酸化アルミニウムからなる研磨剤を、スプレーでナイロン素材に吹き付けて形成される。シート体２４は、上述のように、全体として平面視十字形状であり、平面視矩形形状の先端部３７、中央部３８及び後端部３９を順次接続したように構成されている。先端部３７の中央部３８に接続する部分の幅Ａ１と後端部３９の中央部３８に接続する部分の幅Ａ２はほぼ同一で、中央部３８の幅Ｂは先端部３７の幅Ａ１及び後端部３９の幅Ａ２よりも大きく形成されている。更に、第１開口３１に差し込まれる先端部３７の幅Ｌ１は、第２開口３３に差し込まれる後端部３９の幅Ｌ２よりも小さくなるように形成されている。
【００３６】
尚、シート体２４の素材は、上記以外に不織布、ウレタンスポンジ、セルローススポンジ、サンドペーパーであってもよい。又、後述するように、これらの素材は除去しようとする汚れの種類に応じて取り替えて使用することもできる。
【００３７】
次に図１から図５を参照して、本体２３に対するシート体２４の装着方法について説明する。
【００３８】
本体２３にシート体２４を取付ける際には、まず、第１開口３１に直交するようにシート体２４の先端部３７を差し込み、次に中央部３８を中間部分２９に沿うように曲げ、この状態で第２開口３３にシート体２４の後端部３９を斜め方向に差し込む。そのため、第１開口３１の高さＨ１とシート体２４の先端部３７の厚みＴは略等しく、更に、第１開口３１の幅Ｗ１は先端部３７の幅Ａ１よりやや大きく設定されている。又、第２開口３３の高さＨ２はシート体２４の後端部３９の厚みＴの約２倍に設定され、第２開口３３の幅Ｗ２は後端部３９の幅Ａ２と略等しく設定されている。これによって、シート体２４の装着が容易となると同時に、本体２３による保持状態が安定し、使用時にシート体２４が本体２３から外れる虞が少なくなる。尚、第２開口３３の縁の内部には上述のように突起体３５が形成されているため、挿入されたシート体２４の後端部３９に対して抜け止め効果を発揮する。
【００３９】
更に、中央部３８の幅Ｂは、第１開口３１及び第２開口３３の幅Ｗ１及びＷ２より大きく形成されているので、使用時にずれることはない。つまり、先端部３７及び後端部３９が第１開口３１及び第２開口３３に完全に差し込まれると、第１開口３１及び第２開口３３の縁に中央部３８が当接する。これによって、シート体２４はそれ以上第１開口３１及び第２開口３３内に移動しないため、取付状態が安定する。従って、本体２３の第１開口３１及び第２開口３３にシート体２４を差込むだけでよいので手軽である。又、部品点数が本体２３とシート体２４の２点であり、低コストの掃除具を提供することができる。更に、シート体２４は組み替え式になっており、汚れに合わせて上述の種類のシートを選択することで、効率的に汚れを落とすことができる。
【００４０】
次に掃除具２１の使用状態について説明する。
【００４１】
図６は図１で示したＶＩ−ＶＩラインから見た図に対応し、掃除具の使用状態を示した図であり、図７は図１で示したＶＩＩ−ＶＩＩラインの断面図に対応し、掃除具の使用状態を示した図である。
【００４２】
これらの図を参照して、使用に際しては、本体２３を指で掴みシート体２４の中央部３８が清掃面４３に接しやすいように本体２３を清掃面４３に対して傾斜させて使用する。この状態で、清掃面４３上に付着した汚れ４４をシート体２４によって擦るように除去する。汚れ４４を落とす際に、コーナー部である中間部分２９に本体２３を介して力が加わるため清掃効果が高まると共に本体２３の他の部分よりも中間部分２９のシート体２４にかかる摩擦力が増加する。その結果、シート体２４の使用時における本体２３に対するずれが減少する。又、シート体２４は上述のように研磨剤が塗付されているので、シート体２４の本体２３に接触する部分の摩擦力がさらに増大し、シート体２４の使用時における本体２３に対するずれがさらに減少する。これによって、使用時にはシート体２４に力を強く加えることが可能となると共に、シート体２４が外れないという効果的な仕組みとなる。尚、この実施の形態では、中間部分２９の表面は他の部分の表面と同一仕上げであるが、中間部分２９の表面のみ凹凸を付けたり、ざらつかせたりして摩擦抵抗を大きくするようにすれば、シート体２４の保持状態が更に安定する。
【００４３】
図８はこの発明の第２の実施の形態による掃除具のシート体の正面図である。
【００４４】
図を参照して、この実施の形態にあっては、シート体２４の形状が正面視略六角形形状である。掃除具２１の本体２３については先の第１の実施の形態によるものと同一であるため、ここでの説明は繰り返さない。又、シート体２４の材質については、先の第１の実施の形態によるものと同一のものを使用することができる。差込部４７ａ及び４７ｂは、本体の第１開口３１又は第２開口３３に差し込むことができる部分であって、それ以外の部分の残存部４８がシート体２４の中間部分２９になる。従って、差込部４７ａ及び４７ｂの幅が、第１開口３１及び第２開口３３の幅Ｗ１及びＷ２と略等しくなることになる。つまり、シート体２４の差込部４７ａと残存部４８との境界線の部分及び差込部４７ｂと残存部４８との境界線の部分の各々が第１開口３１及び第２開口３３の縁に当接する。その結果、シート体２４の残存部４８はそれ以上第１開口３１及び第２開口３３内に移動しないため、取付状態が安定し、使用時にずれない構造となる。又、２点鎖線で示したように、シート体２４は同一形状で連続的に大きなシートから打抜くことができるため、生産するときに歩留まりがよい形状となり、生産コストが少なくてすむ。
【００４５】
図９はこの発明の第３の実施の形態による掃除具のシート体の正面図である。
【００４６】
図を参照して、この実施の形態にあっては、シート体２４の形状が正面視菱形形状である。掃除具２１の本体については、先の第１の実施の形態によるものと同一であるため、ここでの説明は繰り返さない。又、シート体２４の材質については、先の第１の実施の形態によるものと同一のものを使用することができる。差込部４７ａ及び４７ｂと第１開口３１及び第２開口３３の関係ついては、先の第２の実施の形態によるものと略同一であるため、ここでの説明は繰り返さない。尚、本体２３にシート体２４を装着した時、シート体２４の残存部４８に対向する２つの角４９ａ，４９ｂができるので、隅を清掃しやすくなる。又、第２の実施の形態と同様に２点鎖線で示したように、生産するときに歩留まりがよい形状となり、更に生産コストが少なくてすむ。
【００４７】
図１０はこの発明の第４の実施の形態による掃除具の底面図であり、図１１は図１０で示したＸＩ−ＸＩラインから見た図であり、図１２は図１０で示したＸＩＩ−ＸＩＩラインの断面図である。
【００４８】
これらの図を参照して、この実施の形態にあっては、ポリプロピレンの射出成形よりなる略直方体形状の本体２３と、本体２３の底壁５０に脱着自在に取付けられたシート体２４とから構成されている。本体２３の上壁に取手５１が取付けられ、第１開口３１と第２開口３３とが同一底壁５０に形成されている。従って、第１開口３１と第２開口３３との間の底壁５０の部分が中間部分２９となる。第１開口３１及び第２開口３３の形状の各々は、先の第１の実施の形態の第２開口３３によるものと略同一形状であるため、ここでの説明は繰り返さない。更に、シート体２４の形状は、第１開口３１及び第２開口３３に差し込まれる部分の先端部３７の長さと後端部３９の長さが略等しいこと以外は、先の第１の実施の形態によるものと同一であるため、ここでの説明は繰り返さない。
【００４９】
次に、この実施の形態による掃除具の使用方法について説明する。
【００５０】
まず、この掃除具を使用するとき、第１開口３１にシート体２４の先端部３７を差し込み、第２開口３３にシート体２４の後端部３９を差し込む。その結果、シート体２４の中央部３８は平坦な中間部分２９に沿うことになる。これによって、清掃面４３に対して中央部３８の大部分が同時に接することになり、シート体２４の接触面積が拡大するので、一度に清掃できる面が拡大する。又、取手５１が取付けられているので、掃除しやすくなる。
【００５１】
図１３は図１１に対応した図であって、この発明の第５の実施の形態による掃除具の側面図であり、図１４は図１２に対応した図であって、この発明の第５の実施の形態による掃除具の断面図である。
【００５２】
これらの図を参照して、この実施の形態にあっては、ポリプロピレンの射出成形よりなる略直方体形状の本体２３と、本体２３の底壁５０と側壁５３ａ及び５３ｂの下方側に脱着自在に取付けられたシート体２４とから構成されている。本体２３の上壁に取手５１が取付けられ、第１開口３１は本体２３の側壁５３ａに形成され、第２開口３３は本体２３の側壁５３ａに対向する側壁５３ｂに形成されている。従って、第１開口３１と第２開口３３との間の底壁５０が中間部分２９となる。第１開口３１及び第２開口３３の形状の各々は、先の第１の実施の形態の第２開口３３によるものと略同一であるため、ここでの説明は繰り返さない。更に、シート体２４の形状は、第１開口３１及び第２開口３３に差込まれる部分の先端部３７の長さと後端部３９の長さとが略等しいこと以外は、先の第１の実施の形態によるものと同一であるため、ここでの説明は繰り返さない。
【００５３】
次に、この実施の形態による掃除具の使用方法について説明する。
【００５４】
まず、この掃除具を使用するとき、中央部３８を底壁５０に被せ、その状態で第１開口３１にシート体２４の先端部３７を差し込み、第２開口３３にシート体２４の後端部３９を差し込む。その結果、シート体２４の中央部３８は平坦な中間部分２９の全面に沿うことになる。これによって、清掃面４３に対して接するシート体２４の部分が、底壁５０を覆う中央部３８の全面に更に拡大するので、一度に清掃できる面が拡大する。又、側壁５３ａ及び５３ｂと底壁５０の接続部分に当たる２つのコーナー部があるので、細かい面や隅を清掃することができる。更に、取手５１が取付けられているので、清掃しやすくなる。
【００５５】
尚、上記の各実施の形態では、シート体を装着する開口が第１開口又は第２開口の２つ形成されているが、３つ以上形成されていてもよい。
【００５６】
又、上記の各実施の形態では、本体の素材はポリプロピレンであるが、ポリエチレン、ＡＢＳ、アクリル樹脂等の他の樹脂でもよい。
【００５７】
更に、上記各実施の形態では、シート体には研磨剤が塗布されているが、研磨剤はなくても良い。この場合、本体に接触する部分の摩擦力が増加するような物質を付加すればより好ましい。
【００５８】
更に、上記の各実施の形態では、シート体の形状が平面視十字形状、正面視六角形形状及び正面視菱形形状で構成されているが、単なる矩形形状等の他の形状であっても良い。この場合、第１開口及び第２開口の縁にシート体の中央部が当接し、シート体が第１開口及び第２開口内にそれ以上移動しない形状であればより好ましい。
【００５９】
更に、上記の第４及び第５の実施の形態では、本体が直方体形状であるが、第１開口及び第２開口間のシート体を保持する面が、少なくともほぼ平坦面を有する形状であれば他の形状でもよい。
【００６０】
更に、上記の第５の実施の形態では、本体が直方体形状であり、開口を側壁に形成し、中間部分を底壁に対応させているが、開口の一方を第１の側壁に形成し、開口の他方を底壁に形成しても良い。この場合、中間部分はこの第１の側壁と底壁に隣接する第２の側壁とし、第２の側壁を中央部として両端部を開口の各々に差し込める形状のＬ字状のシート体とすれば良い。そうすると、使用時に中央部の一部に角ができるため狭いスペースの清掃にも対応できることになり使い勝手が向上する。
【図面の簡単な説明】
【００６１】
【図１】この発明の第１の実施の形態による掃除具の外観形状を上方側からみた斜視図である。
【図２】この発明の第１の実施の形態による掃除具の外観形状を下方側からみた斜視図である。
【図３】図１に対応した図であって、掃除具からシート体を取外した状態の本体の外観形状を示した斜視図である。
【図４】図２に対応した図であって、掃除具からシート体を取外した状態の本体の外観形状を示した斜視図である。
【図５】図１で示した掃除具のシート体の概略構造を示した斜視図である。
【図６】図１で示したＶＩ−ＶＩラインから見た図に対応し、掃除具の使用状態を示した図である。
【図７】図１で示したＶＩＩ−ＶＩＩラインの断面図に対応し、掃除具の使用状態を示した図である。
【図８】この発明の第２の実施の形態による掃除具のシート体の正面図である。
【図９】この発明の第３の実施の形態による掃除具のシート体の正面図である。
【図１０】この発明の第４の実施の形態による掃除具の底面図である。
【図１１】図１０で示したＸＩ−ＸＩラインから見た図である。
【図１２】図１０で示したＸＩＩ−ＸＩＩラインの断面図である。
【図１３】図１１に対応した図であって、この発明の第５の実施の形態による掃除具の側面図である。
【図１４】図１２に対応した図であって、この発明の第５の実施の形態による掃除具の断面図である。
【図１５】従来の掃除具の概略構造を示した平面図である。
【図１６】図１５で示したＸＶＩ−ＸＶＩラインの断面図である。
【符号の説明】
【００６２】
２１…掃除具
２３…本体
２４…シート体
２９…中間部分
３１…第１開口
３３…第２開口
３７…先端部
３８…中央部
３９…後端部
５０…底壁
５３…側壁
尚、各図中の同一符号は同一又は相当部分を示す。
【図１】
2008183169.tif 000003
【図２】
2008183169.tif 000004
【図３】
2008183169.tif 000005
【図４】
2008183169.tif 000006
【図５】
2008183169.tif 000007
【図６】
2008183169.tif 000008
【図７】
2008183169.tif 000009
【図８】
2008183169.tif 000010
【図９】
2008183169.tif 000011
【図１０】
2008183169.tif 000012
【図１１】
2008183169.tif 000013
【図１２】
2008183169.tif 000014
【図１３】
2008183169.tif 000015
【図１４】
2008183169.tif 000016
【図１５】
2008183169.tif 000017
【図１６】
2008183169.tif 000018